【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
各遊技機に対応して配置される遊技用手段と、該遊技用手段と通信可能であり会員登録した会員遊技者に対して発行される遊技用記録媒体に記録される識別情報に対応づけて遊技者が獲得した遊技媒体数を特定可能な獲得価値を管理する管理手段とを備えた遊技用システムであって、
前記遊技用手段は、
遊技媒体を計数する計数手段と、
前記計数手段の計数に基づき獲得価値を記憶する獲得価値記憶手段と、
前記獲得価値記憶手段に記憶された獲得価値で特定される遊技媒体数の範囲内の前記遊技媒体を払出すための払出処理を実行する払出処理手段と、
前記計数手段によって計数された遊技媒体数を前記獲得価値記憶手段に記憶された獲得価値から特定される遊技媒体数に加算するとともに、前記払出処理により払出された前記遊技媒体数を前記獲得価値記憶手段に記憶された獲得価値から特定される遊技媒体数より減算する遊技用手段側更新手段と、
前記遊技用記録媒体を受付ける記録媒体受付手段と、
前記管理手段と通信可能であるか不能であるかを判定する通信判定手段と、
終了操作が受付けられ、前記通信判定手段の判定が通信可能であることに基づいて、受付中の前記遊技用記録媒体に記録された識別情報に対応づけて前記管理手段が管理している獲得価値を更新させるための更新要求を行い、当該遊技用記録媒体を排出する記録媒体排出時処理手段とを備え、
前記管理手段は、
前記更新要求に基づいて、該遊技用記録媒体に記録された識別情報に対応づけて管理している獲得価値を更新する管理獲得価値更新手段と、
前記管理獲得価値更新手段による獲得価値の更新が不能であるときに、不能情報を前記遊技用手段に送信する不能情報送信手段とを備え、
前記遊技用手段は、さらに、
終了操作が受付けられ、前記通信判定手段の判定が通信不能であることに基づいて、前記獲得価値記憶手段に記憶された獲得価値を当該獲得価値を記録可能な計数遊技用記録媒体に記録する記録処理を行う一方、終了操作が受付けられ、前記不能情報が受信されたことに基づいて、前記通信判定手段により通信不能と判定される不通状態に移行させて前記記録処理を行う記録処理手段と、
前記記録処理手段によって、不通状態に移行されて前記記録処理が行われた後に、前記通信判定手段により通信可能と判定される通常状態に復帰させる通信復帰手段とを備える、遊技用システム。
【請求項２】
各遊技機に対応して配置される遊技用手段と、該遊技用手段と通信可能であり会員登録した会員遊技者に対して発行される遊技用記録媒体に記録される識別情報に対応づけて遊技者が獲得した遊技媒体数を特定可能な獲得価値を管理する管理手段とを備えた遊技用システムであって、
前記遊技用手段は、
遊技媒体を計数する計数手段と、
前記計数手段の計数に基づき獲得価値を記憶する獲得価値記憶手段と、
前記獲得価値記憶手段に記憶された獲得価値で特定される遊技媒体数の範囲内の前記遊技媒体を払出すための払出処理を実行する払出処理手段と、
前記計数手段によって計数された遊技媒体数を前記獲得価値記憶手段に記憶された獲得価値から特定される遊技媒体数に加算するとともに、前記払出処理により払出された前記遊技媒体数を前記獲得価値記憶手段に記憶された獲得価値から特定される遊技媒体数より減算する遊技用手段側更新手段と、
前記遊技用記録媒体を受付ける記録媒体受付手段と、
前記管理手段と通信可能であるか不能であるかを判定する通信判定手段と、
終了操作が受付けられ、前記通信判定手段の判定が通信可能であることに基づいて、
受付中の前記遊技用記録媒体に記録された識別情報に対応づけて前記管理手段が管理している獲得価値を更新させるための更新要求を行い、当該遊技用記録媒体を排出する記録媒体排出時処理手段とを備え、
前記管理手段は、
前記更新要求に基づいて、該遊技用記録媒体に記録された識別情報に対応づけて管理している獲得価値を更新する管理獲得価値更新手段と、
前記管理獲得価値更新手段による獲得価値の更新が不能であるときに、不能情報を前記遊技用手段に送信する不能情報送信手段とを備え、
前記遊技用手段は、さらに、
終了操作が受付けられ、前記通信判定手段の判定が通信不能であることに基づいて、前記獲得価値記憶手段に記憶された獲得価値を当該獲得価値を記録可能な計数遊技用記録媒体に記録する記録処理を行う一方、終了操作が受付けられ、前記不能情報が受信されたことに基づいて、前記通信判定手段により通信不能と判定される不通状態に移行させて前記記録処理を行う記録処理手段と、
前記記録媒体受付手段が受付けた前記計数遊技用記録媒体に記録されている獲得価値に基づいて前記獲得価値記憶手段に記憶されている獲得価値を更新する獲得価値更新手段とを備える、遊技用システム。
【請求項３】
前記記録処理手段は、前記更新要求を送信したにも関わらず前記管理獲得価値更新手段によって獲得価値が更新された旨の返信がないことに基づいて、前記記録処理を実行する、請求項１または請求項２に記載の遊技用システム。
【請求項４】
前記記録処理手段は、前記記録処理として、受付けられている前記遊技用記録媒体を排出するとともに、前記獲得価値記憶手段に記憶された獲得価値が記録された前記計数遊技用記録媒体を排出する通信不能時排出処理を実行する、請求項１から請求項３のいずれかに記載の遊技用システム。
【請求項５】
前記通信復帰手段は、前記通信復帰手段によって通常状態に復帰されたが、再度、前記不能情報を受信することを所定回数繰返した場合、通常状態に復帰させずに待機する、請求項１に記載の遊技用システム。
【手続補正２】
【補正対象書類名】明細書
【補正対象項目名】０００６
【補正方法】変更
【補正の内容】
【０００６】
（１）  各遊技機に対応して配置される遊技用手段（たとえば、カードユニット３）と、該遊技用手段と通信可能であり会員登録した会員遊技者に対して発行される遊技用記録媒体（たとえば、会員カード）に記録される識別情報（たとえば、会員ＩＤ、カードＩＤ）に対応づけて遊技者が獲得した遊技媒体（たとえば、パチンコ玉）数を特定可能な獲得価値（たとえば、持玉数）を管理する管理手段（たとえば、管理コンピュータ１５０）とを備えた遊技用システムであって、
前記遊技用手段は、
遊技媒体を計数する計数手段（遊技者が遊技で獲得した遊技媒体だけでなく遊技媒体の貸与で得られた遊技媒体も計数される。たとえば、計数・端数払出ユニット３４０）と、
前記計数手段の計数に基づき獲得価値を記憶する獲得価値記憶手段（たとえば、図９（ａ）のカードテーブルを記憶する制御ユニット３２８のＲＡＭ３２８ｂ）と、
前記獲得価値記憶手段に記憶された獲得価値で特定される遊技媒体数の範囲内の前記遊技媒体を払出すための払出処理を実行する払出処理手段（払出処理には、遊技用手段が直接的に遊技媒体を払出す処理だけでなく、遊技機に遊技媒体を払出させるための信号を遊技用手段が遊技機に送信することによって、遊技用手段が間接的に遊技媒体を払出す処理も含まれる。たとえば、図２０のＳｂ２５で実行される図３２の払出処理を実行する制御ユニット３２８）と、
前記計数手段によって計数された遊技媒体数を前記獲得価値記憶手段に記憶された獲得価値から特定される遊技媒体数に加算するとともに、前記払出処理により払出された前記遊技媒体数を前記獲得価値記憶手段に記憶された獲得価値から特定される遊技媒体数より減算する遊技用手段側更新手段（たとえば、図２１の計数情報処理、図２０のＳｂ２４で実行される再プレイ処理、および図２０のＳｂ２５で実行される図３２の払出処理を実行する制御ユニット３２８）と、
前記遊技用記録媒体を受付ける記録媒体受付手段（たとえば、カードリーダライタ３２７、図２０のＳｂ２０で実行される図２２のカード受付処理を実行する制御ユニット３２８）と、
前記管理手段と通信可能であるか不能であるかを判定する通信判定手段（通信不能であるとの判定は、受付時排出処理手段によって管理手段に送信された更新要求に基づいて獲得価値が更新された旨の返信がないことを条件として行われるようにしてもよいし、通信状態を監視して通信不能を検知することによって行われるようにしてもよい。たとえば、図２６の会員カード返却処理のＳ２１２＋，Ｓ２５１の処理を実行する制御ユニット３２８）と、
終了操作（たとえば、返却ボタンの操作、貯玉のための操作、会員カードを新規発行する操作）が受付けられた場合、前記通信判定手段の判定が通信可能であることに基づいて、受付中の前記遊技用記録媒体に記録された識別情報に対応づけて前記管理手段が管理している獲得価値を更新させるための更新要求（たとえば、会員カード返却通知）を行い、当該遊技用記録媒体を排出する記録媒体排出時処理手段（たとえば、図２０のＳｂ２３で実行される図２５の返却処理のＳｂ２５０で実行される会員カード返却処理を実行する制御ユニット３２８）とを備え、
前記管理手段は、
前記更新要求に基づいて、該遊技用記録媒体に記録された識別情報に対応づけて管理している獲得価値を更新する管理獲得価値更新手段（たとえば、図２７のサーバ側カード返却時処理のＳ３２の処理を実行する管理コンピュータ１５０のＣＰＵ１５２）と、
前記管理獲得価値更新手段による獲得価値の更新が不能であるとき（たとえば、図２７のサーバ側カード返却時処理のＳ３３でＮＯと判定されたとき）に、不能情報（たとえば、更新ＮＧのカード更新結果）を前記遊技用手段に送信する不能情報送信手段（たとえば、図２７のサーバ側カード返却時処理のＳ３８の処理を実行する管理コンピュータ１５０のＣＰＵ１５２）とを備え、
前記遊技用手段は、さらに、
終了操作が受付けられ、前記通信判定手段の判定が通信不能であること（たとえば、図２６の会員カード返却処理のＳ２５１でＹＥＳと判断されたこと）に基づいて、前記獲得価値記憶手段に記憶された獲得価値を当該獲得価値を記録可能な計数遊技用記録媒体（たとえば、ビジターカード、会員カード）に記録する記録処理を行う一方（たとえば、図２６の会員カード返却処理のＳ２５７の処理を実行する制御ユニット３２８）、終了操作が受付けられ、前記不能情報が受信されたことに基づいて（たとえば、図２６の会員カード返却処理のＳ２６１でＹＥＳと判定された場合）、前記通信判定手段により通信不能と判定される不通状態に移行させて前記記録処理を行う記録処理手段（たとえば、図２６の会員カード返却処理のＳ２６３，Ｓ２５７の処理を実行する制御ユニット３２８）と、
前記記録処理手段によって、不通状態に移行されて前記記録処理が行われた後に、前記通信判定手段により通信可能と判定される通常状態に復帰させる通信復帰手段（たとえば、図２６の会員カード返却処理のＳ２５９，Ｓ２６４の処理を実行する制御ユニット３２８）とを備える。
【手続補正３】
【補正対象書類名】明細書
【補正対象項目名】００１０
【補正方法】変更
【補正の内容】
【００１０】
（２）  各遊技機に対応して配置される遊技用手段（たとえば、カードユニット３）と、該遊技用手段と通信可能であり会員登録した会員遊技者に対して発行される遊技用記録媒体（たとえば、会員カード）に記録される識別情報（たとえば、会員ＩＤ、カードＩＤ）に対応づけて遊技者が獲得した遊技媒体（たとえば、パチンコ玉）数を特定可能な獲得価値（たとえば、持玉数）を管理する管理手段（たとえば、管理コンピュータ１５０）とを備えた遊技用システムであって、
前記遊技用手段は、
遊技媒体を計数する計数手段（遊技者が遊技で獲得した遊技媒体だけでなく遊技媒体の貸与で得られた遊技媒体も計数される。たとえば、計数・端数払出ユニット３４０）と、
前記計数手段の計数に基づき獲得価値を記憶する獲得価値記憶手段（たとえば、図９（ａ）のカードテーブルを記憶する制御ユニット３２８のＲＡＭ３２８ｂ）と、
前記獲得価値記憶手段に記憶された獲得価値で特定される遊技媒体数の範囲内の前記遊技媒体を払出すための払出処理を実行する払出処理手段（払出処理には、遊技用手段が直接的に遊技媒体を払出す処理だけでなく、遊技機に遊技媒体を払出させるための信号を遊技用手段が遊技機に送信することによって、遊技用手段が間接的に遊技媒体を払出す処理も含まれる。たとえば、図２０のＳｂ２５で実行される図３２の払出処理を実行する制御ユニット３２８）と、
前記計数手段によって計数された遊技媒体数を前記獲得価値記憶手段に記憶された獲得価値から特定される遊技媒体数に加算するとともに、前記払出処理により払出された前記遊技媒体数を前記獲得価値記憶手段に記憶された獲得価値から特定される遊技媒体数より減算する遊技用手段側更新手段（たとえば、図２１の計数情報処理、図２０のＳｂ２４で実行される再プレイ処理、および図２０のＳｂ２５で実行される図３２の払出処理を実行する制御ユニット３２８）と、
前記遊技用記録媒体を受付ける記録媒体受付手段（たとえば、カードリーダライタ３２７、図２０のＳｂ２０で実行される図２２のカード受付処理を実行する制御ユニット３２８）と、
前記管理手段と通信可能であるか不能であるかを判定する通信判定手段（通信不能であるとの判定は、受付時排出処理手段によって管理手段に送信された更新要求に基づいて獲得価値が更新された旨の返信がないことを条件として行われるようにしてもよいし、通信状態を監視して通信不能を検知することによって行われるようにしてもよい。たとえば、図２６の会員カード返却処理のＳ２１２＋，Ｓ２５１の処理を実行する制御ユニット３２８）と、
終了操作（たとえば、返却ボタンの操作、貯玉のための操作、会員カードを新規発行する操作）が受付けられた場合、前記通信判定手段の判定が通信可能であることに基づいて、受付中の前記遊技用記録媒体に記録された識別情報に対応づけて前記管理手段が管理している獲得価値を更新させるための更新要求（たとえば、会員カード返却通知）を行い、当該遊技用記録媒体を排出する記録媒体排出時処理手段（たとえば、図２０のＳｂ２３で実行される図２５の返却処理のＳｂ２５０で実行される会員カード返却処理を実行する制御ユニット３２８）とを備え、
前記管理手段は、
前記更新要求に基づいて、該遊技用記録媒体に記録された識別情報に対応づけて管理している獲得価値を更新する管理獲得価値更新手段（たとえば、図２７のサーバ側カード返却時処理のＳ３２の処理を実行する管理コンピュータ１５０のＣＰＵ１５２）と、
前記管理獲得価値更新手段による獲得価値の更新が不能であるとき（たとえば、図２７のサーバ側カード返却時処理のＳ３３でＮＯと判定されたとき）に、不能情報（たとえば、更新ＮＧのカード更新結果）を前記遊技用手段に送信する不能情報送信手段（たとえば、図２７のサーバ側カード返却時処理のＳ３８の処理を実行する管理コンピュータ１５０のＣＰＵ１５２）とを備え、
前記遊技用手段は、さらに、
終了操作が受付けられた場合、前記通信判定手段の判定が通信不能であること（たとえば、図２６の会員カード返却処理のＳ２５１でＹＥＳと判断されたこと）に基づいて、前記獲得価値記憶手段に記憶された獲得価値を当該獲得価値を記録可能な計数遊技用記録媒体（たとえば、ビジターカード、会員カード）に記録する記録処理を行う一方（たとえば、図２６の会員カード返却処理のＳ２５７の処理を実行する制御ユニット３２８）、終了操作が受付けられ、前記不能情報が受信されたことに基づいて（たとえば、図２６の会員カード返却処理のＳ２６１でＹＥＳと判定された場合）、前記通信判定手段により通信不能と判定される不通状態に移行させて前記記録処理を行う記録処理手段（たとえば、図２６の会員カード返却処理のＳ２６３，Ｓ２５７の処理を実行する制御ユニット３２８）と、
前記記録媒体受付手段が受付けた前記計数遊技用記録媒体に記録されている獲得価値に基づいて前記獲得価値記憶手段に記憶されている獲得価値を更新する獲得価値更新手段（０でない獲得価値だけでなく、０に対して獲得価値を更新するものも含む。たとえば、図２０のＳｂ２０で実行される図２２のカード受付処理のＳａ１２の処理を実行する制御ユニット３２８）とを備える。